(57)【要約】【課題】  テレビ受像機を操作する操作端末と、その操作端末を操作している視聴者との対応関係を明確にするために、テレビ受像機や操作端末に対して固有の識別子と地域などの場所を特定する情報を付与し、それらを用いることにより、視聴者が視聴者に関する情報の入力という面倒な作業をすることなく、また視聴者に関する情報の入力のための特別な情報記録手段を準備することなく、視聴者の好みに合った番組を、地域ごとに提示するシステムを提案することを目的とする。【解決手段】  システムは、映像を表示する映像表示装置１００、この映像表示装置１００を操作する際に用いる操作端末２００、順位の設定された番組情報を生成する情報生成装置３００、番組情報を記録している番組情報記録装置４００、情報を閲覧する情報閲覧装置５００及びネットワーク６００から構成される。【選択図】      図１
2005269114.tif 000002
【特許請求の範囲】
【請求項１】
通信ネットワークを介して映像表示装置と情報生成装置と番組情報記憶装置とが相互に接続された情報通信システムにおいて、
前記情報生成装置が前記番組情報記憶装置から番組情報を取得して前記映像表示装置へ送信し、前記映像表示装置が受信した番組情報を表示する番組情報通知方法であって、
映像を表示する映像表示装置が、少なくとも前記映像表示装置を操作する操作端末から受信した操作端末の識別子と操作の内容を示す制御情報と前記映像表示装置の設置された場所を示す場所情報とから構成される操作者情報を前記情報生成装置へ送信する手順と、
番組情報に順位を設定する情報生成装置が、受信した操作者情報にもとづいて、前記番組情報を記憶している番組情報記憶装置から番組情報を検索して取得し、取得した番組情報に順位を設定し、順位の設定された番組情報を前記映像表示装置へ送信する手順と、
前記映像表示装置が、受信した順位の設定された番組情報を表示する手順と
を実行することを特徴とする番組情報通知方法。
【請求項２】
前記番組情報記憶装置からの番組情報の検索と取得は、
前記映像表示装置から受信した前記操作者情報に含まれる場所情報にもとづいて行われ、
前記番組情報の順位の設定は、
前記取得した番組情報に対して、前記映像表示装置から受信した前記操作者情報に含まれる識別子ごとに行われる
ことを特徴とする請求項１に記載の番組情報通知方法。
【請求項３】
前記番組情報の順位は、
前記番組情報記憶装置から取得した番組情報に対して重み付けを行った後に設定されること
を特徴とする請求項１または請求項２に記載の番組情報通知方法。
【請求項４】
前記重み付けは、
過去の番組の視聴回数、選択したチャネルと番組、番組の分野、番組への出演者により行われること
を特徴とする請求項３に記載の番組情報通知方法。
【請求項５】
前記映像表示装置が設置された場所を示す場所情報は、
前記映像表示装置に設定されているか、または、前記操作端末に設定されていること
を特徴とする請求項１ないし請求項４のいずれか一項に記載の番組情報通知方法。
【請求項６】
前記操作者情報の前記情報生成装置への送信は、
前記映像表示装置が、前記ネットワークを介した前記情報生成装置との接続が確立されていること、及び前記順位の設定された番組情報を表示できることを確認した後に実行されること
を特徴とする請求項１ないし５のいずれか一項に記載の番組情報通知方法。
【請求項７】
一つの映像表示装置に対して一つまたは複数の前記操作端末を利用できること
を特徴とする請求項１ないし請求項６のいずれか一項に記載の番組情報通知方法。
【請求項８】
前記操作者情報は、
前記情報生成装置と前記ネットワークとを介して接続された情報閲覧装置により閲覧できること
を特徴とする請求項１ないし請求項７のいずれか一項に記載の番組情報通知方法。
【請求項９】
通信ネットワークを介して情報生成装置と番組情報記憶装置と接続され、順位の設定された番組情報と映像とを表示する映像表示装置であって、
放送された映像信号を受信し選択する映像信号選択手段と、
選択した映像信号の映像と前記順位の設定された番組情報とを表示する映像表示手段と、
前記ネットワークを介して前記情報生成装置へ操作者情報を送信し、前記情報生成装置から順位の設定された番組情報を受信する通信手段と、
少なくとも前記映像表示装置を操作する操作端末の識別子と前記映像表示装置を制御する制御情報とを含む操作信号を前記操作端末から受信する操作信号受信手段と、
前記映像表示装置の設置されている場所を示す場所情報を記憶している場所情報記憶手段と、
少なくとも前記識別子と前記場所情報と前記制御情報とから構成される操作者情報を記憶する操作者情報記憶手段と、
前記映像信号の受信、前記映像の表示、前記操作者情報の送信、前記順位の設定された番組情報の受信、前記操作信号の受信及び前記場所情報と前記操作者情報の記憶を制御する制御手段と
を備えたことを特徴とする映像表示装置。
【請求項１０】
通信ネットワークを介して映像表示装置と番組情報記憶装置と接続され、順位の設定された番組情報を生成し映像表示装置へ送信する情報生成装置であって、
前記映像表示装置から操作者情報を受信し、前記映像表示装置へ順位の設定された番組情報を送信する通信手段と、
少なくとも前記番組情報記憶装置から取得した番組情報に順位を設定した管理情報と前記操作者情報とから構成される個別操作者情報を記憶する個別情報記憶手段と、
前記操作者情報の受信、番組情報の順位の設定、前記順位の設定された番組情報の送信及び前記個別操作者情報の記憶を制御する制御手段と
を備えたことを特徴とする情報生成装置。
【請求項１１】
前記個別情報記憶手段は、
前記操作者情報に含まれる識別子にもとづいて前記個別操作者情報を登録し検索し削除すること
を特徴とする請求項１０に記載の情報生成装置。
【発明の詳細な説明】
【技術分野】
【０００１】
本発明は、視聴者が視聴している場所と視聴者が嗜好する番組とを考慮して、視聴者に対して、順位の設定された番組情報を提供する番組情報通知方法、番組情報通知方法を実現する映像表示装置と情報生成装置に関する。
【背景技術】
【０００２】
従来から実施されている地上波のアナログ放送、衛星放送、ケーブルテレビ放送などに加えて、地上波のディジタル放送が開始されたことにより、放送のチャネル数は、飛躍的に増大しようとしている。このような状況の中で、放送される多数の番組の中から興味のある番組を選択し、有限の時間内で効率良く視聴することは、視聴者にとって重要な課題となっている。
【０００３】
この課題を解決するために、視聴者の嗜好などの情報を利用して、番組を選択し、視聴者へ提示する方法が提案されている。
【０００４】
例えば、特許文献１には、視聴者の情報を収集するために、視聴者の情報を記憶したカードなどの情報記憶手段を、テレビ受像機などに備え付けられた読み取り手段や、遠隔操作のためのリモコンに備え付けた読み取り手段に挿入するなどして、情報記憶手段に記載されている視聴者の情報を入力し、入力した視聴者の情報を利用して、視聴者の好みに合った番組を選択し提示するシステムが提案されている。
【０００５】
しかし、この方法では、視聴者の情報を記載したカードなどの情報記憶手段を準備する必要があり、視聴に際して、毎回、情報記憶手段から情報を読み込ませなければならないという利便性についての問題がある。また、情報記憶手段を持っていない場合には、前記したようなサービスの提供を受けることができない。
【０００６】
この問題を解決する方法として、特許文献２には、リモコンなどの操作端末に固有のＩＤを付与し、視聴者が操作端末を操作した際に、テレビ受像機に接続するネットワークを介してサーバから、固有のＩＤごとに視聴履歴情報を収集し、収集した視聴履歴情報を元に、視聴者の好みに合った番組を提示するシステムが提案されている。
【特許文献１】特開２００２−１４２１５９号公報（段落００１４〜００２４、図１、図２）
【特許文献２】特開２００３−６９９１２号公報（段落００２０〜００６１、図４、図５）
【発明の開示】
【発明が解決しようとする課題】
【０００７】
しかしながら、特許文献２に記載の方法では、視聴者が操作端末を操作している場所を特定できない。つまり、地上波の放送やケーブルテレビの放送においては、地域によって放送される番組が異なるため、視聴者が視聴している場所を特定しないと、視聴者の好みに合った番組を選択し提供することができないという問題がある。
【０００８】
この問題を解決するためには、テレビ受像機やそれを遠隔で操作する操作端末とその操作端末を操作している視聴者との対応関係を明確にする必要がある。また、視聴者が所在する地域に応じた番組を提供するためには、視聴者と視聴者が所在する地域との対応関係も明確にしておく必要がある。
【０００９】
本発明はこのような問題を鑑みてなされたものであり、テレビ受像機やそれを遠隔で操作する操作端末と、その操作端末を操作している視聴者との対応関係を明確にするために、テレビ受像機や操作端末に対して固有の識別子と地域などの場所を特定する情報を付与し、それらを用いることにより、視聴者が視聴者に関する情報の入力という面倒な作業をすることなく、また視聴者に関する情報の入力のための特別な情報記憶手段を準備することなく、視聴者の好みに合った番組を、地域ごとに提示する番組情報通知方法、映像表示装置及び情報生成装置を提案することを目的とする。
【課題を解決するための手段】
【００１０】
前記した課題を解決するため、本発明では以下のような手段を用いることとした。
請求項１に記載の発明では、映像を表示する映像表示装置が、少なくとも映像表示装置を操作する操作端末から受信した操作端末の識別子と操作の内容を示す制御情報と映像表示装置の設置された場所を示す場所情報とから構成される操作者情報を情報生成装置へ送信し、番組情報に順位を設定する情報生成装置が、受信した操作者情報にもとづいて、番組情報を記憶している番組情報記憶装置から番組情報を検索して取得し、取得した番組情報に順位を設定し、順位の設定された番組情報を映像表示装置へ送信し、映像表示装置が、受信した順位の設定された番組情報を表示することとした。
【００１１】
映像表示装置は、従来のテレビ受像機に機能を付加することにより実現でき、また、情報生成装置は、従来のデータベース機能を備えたサーバにより実現できる。また、映像表示装置と情報生成装置とをネットワークで接続したことにより、情報生成装置は、番組情報を一元的に管理することができ、番組情報への順位の設定も単一の情報生成装置により実行することができる。順位の設定された番組情報は、視聴者の嗜好に合う番組を提供するものである。
【００１２】
請求項２に記載の発明では、番組情報記憶装置からの番組情報の検索と取得は、映像表示装置から受信した操作者情報に含まれる場所情報にもとづいて行われ、番組情報の順位の設定は、取得した番組情報に対して、映像表示装置から受信した操作者情報に含まれる識別子ごとに行われることとした。
【００１３】
日本では、地上波のテレビ放送は、概ね、都道府県単位で行われていることから、場所情報として都道府県を利用することができる。衛星放送は、場所に特定されたものとはならないが、都道府県より広範囲になるため、場所情報を都道府県で指定しても問題は生じない。場所情報を用いて番組情報の検索を行えば、各地方のローカル番組や、都道府県により異なる時間帯に放送されている番組を考慮した番組情報を得ることができる。また、番組情報の順位の設定に識別子を用いれば、個々の視聴者に特化した順位を設定した番組情報を得ることが可能となる。
【００１４】
請求項３に記載の発明では、番組情報の順位は、番組情報記憶装置から取得した番組情報に対して重み付けを行った後に設定されることとした。
【００１５】
請求項４に記載の発明では、重み付けは、過去の番組の視聴回数、選択したチャネルと番組、番組の分野、番組への出演者により行われることとした。
【００１６】
番組情報に対して重み付けを行い順位を設定することは、単に視聴者による過去の番組の視聴回数だけではなく、様々な指標から番組情報を評価し、その順位を設定することができることを意味する。その重み付けには、選択したチャネルと番組、番組の分野、番組への出演者を利用することができ、視聴者の多様な要求に応じることが可能となる。
【００１７】
請求項５に記載の発明では、映像表示装置が設置された場所を示す場所情報は、映像表示装置に設定されているか、または、操作端末に設定されていることとした。
【００１８】
場所情報は、視聴する場所を特定する情報であることから、基本的には番組を視聴する映像表示装置に設定するが、映像表示装置を操作する操作端末に設定することも可能である。この場合、視聴者が旅行に自分専用の操作端末を携行し、そこでテレビを視聴する際に、操作端末へ旅行先の場所情報を設定することにより、旅行先でも、自分の好みに合った番組情報を取得することが可能となる。
【００１９】
請求項６に記載の発明では、操作者情報の情報生成装置への送信は、映像表示装置が、ネットワークを介した情報生成装置との接続が確立されていること、及び順位の設定された番組情報を表示できることを確認した後に実行されることとした。
【００２０】
映像表示装置は、ネットワークが利用できることや、自身の映像を表示する能力に余裕があることを確認して、番組情報の要求を行う。
【００２１】
請求項７に記載の発明では、一つの映像表示装置に対して一つまたは複数の操作端末を利用できることとした。
【００２２】
映像表示装置は複数の視聴者に対して、順位の設定された番組情報を提供できる。
【００２３】
請求項８に記載の発明では、操作者情報は、情報生成装置とネットワークを介して接続された情報閲覧装置により閲覧できることとした。
【００２４】
操作者情報の閲覧は、番組情報が要求されている状況を管理者が確認し、管理するために行う。
【００２５】
請求項９に記載の発明では、映像表示装置は、放送された映像信号を受信し選択する映像信号選択手段と、選択した映像信号の映像と順位の設定された番組情報とを表示する映像表示手段と、ネットワークを介して情報生成装置へ操作者情報を送信し、情報生成装置から順位の設定された番組情報を受信する通信手段と、少なくとも映像表示装置を操作する操作端末の識別子と映像表示装置を制御する制御情報とを含む操作信号を操作端末から受信する操作信号受信手段と、映像表示装置の設置されている場所を示す場所情報を記憶している場所情報記憶手段と、少なくとも識別子と場所情報と制御情報から構成される操作者情報を記憶する操作者情報記憶手段と、映像信号の受信、映像の表示、操作者情報の送信、順位の設定された番組情報の受信、操作信号の受信及び場所情報と操作者情報の記憶を制御する制御手段とを備えることとした。
【００２６】
映像表示装置は、従来のテレビ受像機に機能を付加することにより実現できる。映像信号選択手段、映像表示手段、操作信号受信手段は、従来のテレビ受像機が備える手段であり、それに通信手段、場所情報記憶手段、操作者情報記憶手段、制御手段を付加することにより、映像表示装置を実現する。制御手段は、従来より備える機能に加えて操作者情報の送信、順位の設定された番組情報の受信、場所情報と操作者情報の記憶を制御する機能を付加したものである。
【００２７】
請求項１０に記載の発明では、情報生成装置は、映像表示装置から操作者情報を受信し、映像表示装置へ順位の設定された番組情報を送信する通信手段と、少なくとも番組情報記憶装置から取得した番組情報に順位を設定した管理情報と操作者情報とから構成される個別操作者情報を記憶する個別情報記憶手段と、操作者情報の受信、番組情報の順位の設定、順位の設定された番組情報の送信及び個別操作者情報の記憶を制御する制御手段とを備えることとした。
【００２８】
情報生成装置は、従来のデータベース機能を備えたサーバにより実現できる。通信手段はサーバが備える機能であり、個別情報記憶手段はデータベースが備える機能である。制御手段は、従来より備える機能に加えて番組情報の順位の設定を制御する機能を付加したものである。
【００２９】
請求項１１に記載の発明では、個別情報記憶手段は、操作者情報に含まれる識別子にもとづいて個別操作者情報を登録し検索し削除することとした。
【００３０】
情報生成装置では、識別子を用いて視聴者の情報を管理する。
【発明の効果】
【００３１】
請求項１に記載の発明によれば、映像表示装置は、情報生成装置に対して操作端末の識別子と映像表示装置の設置されている場所を示す場所情報を送信し、情報生成装置は、受信した識別子と場所情報とから順位の設定された番組情報を生成して映像表示装置へ送信し、映像表示装置は順位の設定された番組情報を、視聴者の好みに合った番組情報として、視聴者に提示することができる。その結果、視聴者は、視聴者に関する情報の入力という面倒な作業をすることなく、また、視聴者に関する情報の入力のための特別な情報記憶手段を準備することなく、視聴者の好みに合った番組を、視聴者の所在地が、通常とは異なる地域であっても、知ることが可能となる。
【００３２】
請求項２に記載の発明によれば、操作者情報に含まれる場所情報にもとづいて番組情報を記憶している番組情報記憶装置から番組情報の検索と取得を行うことにより、視聴者が所在する地域を反映させて番組情報を検索し、取得することが可能となる。また、番組情報記憶装置から取得した番組情報の順位の設定を、操作者情報に含まれる識別子ごとに行うことにより、視聴者による過去の番組の視聴頻度などの特徴を反映させた番組情報を得ることが可能となる。
【００３３】
請求項３、請求項４に記載の発明によれば、番組情報に対して過去の番組の視聴回数、選択したチャネルと番組、番組の分野、番組への出演者による重み付けを行った後に番組情報の順位の設定を行うことにより、単に視聴者による過去の番組の視聴頻度だけでなく、これらの要因を反映させて順位を設定した番組情報を視聴者に対して提供することが可能となる。
【００３４】
請求項５に記載の発明によれば、場所情報を映像表示装置に固定的に設定するだけでなく、操作端末に設定した場所情報を用いたり、また、操作端末からその都度、場所情報を入力して利用することが可能となる。
【００３５】
請求項６に記載の発明によれば、ネットワークを介した情報生成装置との接続が確立されていることと、順位の設定された番組情報を表示できることを確認した後に番組情報の要求を行えば、ネットワークや映像表示装置の状況に左右されずに、要求後直ちに順位の設定された番組情報を受信し、表示することが可能となる。
【００３６】
請求項７に記載の発明によれば、一つの映像表示装置を複数の視聴者が利用する場合であっても、各利用者を識別し、それぞれの利用者に対して、利用者固有の順位の設定された番組情報を提供することが可能となる。
【００３７】
請求項８に記載の発明によれば、例えば、システムの管理者が、情報閲覧装置を用いることにより、各映像表示装置から送られる操作者情報を確認でき、システムの混雑状況等を管理することが可能となる。
【００３８】
請求項９に記載の発明によれば、番組情報通知方法を実現する映像表示装置を提供することが可能となる。
【００３９】
請求項１０に記載の発明によれば、番組情報通知方法を実現する情報生成装置を提供することが可能となる。
【００４０】
請求項１１に記載の発明によれば、情報生成装置は、操作者情報に含まれる識別子を用いて個別操作者情報を管理することができる。
【発明を実施するための最良の形態】
【００４１】
[第１の実施形態]
次に、本発明の実施形態について、適宜、図面を参照しながら詳細に説明する。
図１は、本発明の第１の実施形態に係るシステムの構成を示す図である。システムは、映像を表示する映像表示装置１００、この映像表示装置１００を操作する際に用いる操作端末２００、推薦情報Ｄを生成する情報生成装置３００、番組情報を記憶している番組情報記憶装置４００、情報生成装置３００の情報を閲覧する情報閲覧装置５００、及び映像表示装置１００と情報生成装置３００と番組情報記憶装置４００と情報閲覧装置５００をそれぞれ接続するネットワーク６００から構成される。なお、ここでの「推薦情報」とは、特許請求の範囲に記載された「順位の設定された番組情報」に相当する。
【００４２】
図２は、本発明の第１の実施形態に係る映像表示装置１００の構成を示す図である。映像表示装置１００は、放送された映像信号を選択して受信する映像信号選択手段１１０、映像を表示する映像表示手段１２０、映像表示装置１００全体を制御する制御手段１３０、情報の送受信を行う通信手段１４０、操作信号Ａを受信する操作信号受信手段１５０、映像表示装置１００が設置されている場所を示す場所情報を記憶する場所情報記憶手段１６０、及び操作者情報Ｂを記憶する操作者情報記憶手段１７０から構成される。なお、放送の場合、通常、映像は音声や音楽を伴うが、ここではこれらをまとめて単に「映像」と表現する。
【００４３】
映像表示装置１００は、視聴者に対して映像を表示する。また、視聴者が操作する操作端末２００から操作端末の識別子を含む操作信号Ａを受信し、場所情報と合わせて操作者情報Ｂとして、情報生成装置３００へ送ることにより、推薦情報Ｄを要求する。また、情報生成装置３００から推薦情報Ｄを受信し、映像表示手段１２０により、視聴者の好みに合った、その地域の番組を提示する。
【００４４】
映像信号選択手段１１０は、地上波のアナログ／ディジタル放送、衛星放送、ケーブルテレビ放送により放送された映像信号から、目的の映像信号を選択して受信する。映像信号の選択と受信には、従来のテレビ受像機で用いられているチューナーを用いることができる。
【００４５】
映像表示手段１２０は、映像信号選択手段１１０が受信した映像信号より得られる映像を表示し、音声や音楽を出力する。映像の表示と音声や音楽の出力には、従来のテレビ受像機で用いられているモニタとスピーカを利用することができる。
【００４６】
図３は、本発明の第１の実施形態に係る制御手段１３０の構成を示す図である。制御手段１３０は、制御信号を送信する制御信号送信手段１３１、推薦情報Ｄを生成する推薦情報生成手段１３２、操作者情報Ｂを生成する操作者情報生成手段１３３、及び時間などを管理する状態管理手段１３４とから構成される。
【００４７】
制御手段１３０は、映像表示装置１００全体を制御する。具体的には、映像信号選択手段１１０での映像信号の選択と受信、映像表示手段１２０での映像の表示、通信手段１４０から情報生成装置３００への操作者情報Ｂの送信と、情報生成装置３００からの推薦情報Ｄの受信、受信した推薦情報Ｄの映像表示手段１２０での表示、操作者情報Ｂの生成を制御する。また、時間を管理する。
【００４８】
制御信号送信手段１３１は、操作信号受信手段１５０を介して、操作端末２００から受信した操作信号Ａに含まれている制御情報（後に説明する）を映像信号選択手段１１０と映像表示手段１２０へ送信する。また、情報生成装置３００に対して操作者情報Ｂを送信し、情報生成装置３００から受信した推薦情報Ｄを映像表示手段１２０へ送信する。
【００４９】
制御情報は、操作信号受信手段１５０を介して、操作端末２００から受信する操作信号Ａに含まれており、映像信号選択手段１１０が受信する信号の選択や、映像表示手段１２０が表示する映像を指定する。具体的には、映像表示装置１００の電源ON/OFF、映像表示装置１００への入力の切替、チャネルの切替、音量の調節などを制御する。
【００５０】
推薦情報生成手段１３２は、通信手段１４０を介して情報生成装置３００から受信した推薦情報Ｄを、映像表示手段１２０で表示可能な形式に変換し、その後、推薦情報Ｄを表示可能であることを制御信号送信手段１３１へ通知する。
【００５１】
操作者情報生成手段１３３は、操作信号受信手段１５０を介して、操作端末２００から受信した操作信号Ａに含まれる操作端末２００の識別子と機器コードと制御情報と、場所情報記憶手段１６０が記憶している映像表示装置１００が設置されている場所（地域）の場所情報とから、操作者情報Ｂを生成して、状態管理手段１３４へ送る。また、操作信号Ａに含まれる制御情報を制御信号送信手段１３１へ送る。
【００５２】
状態管理手段１３４は、予め設定された一定時間ごとの時間経過の管理や、予め設定された時刻であるか否かの管理を行う。また。通信手段１４０からの送信の可否を管理する。
【００５３】
通信手段１４０は、ネットワーク６００を介して、情報生成装置３００との間で、情報の送受信を行う。
【００５４】
図２に戻って映像表示装置１００を構成する各手段を説明する。操作信号受信手段１５０は、操作端末２００から操作信号Ａを受信し、受信した操作信号Ａを解析する。
【００５５】
場所情報記憶手段１６０は、映像表示装置１００が設置されている場所(地域）を記憶している。
【００５６】
図４は、本発明の第１の実施形態に係る場所情報記憶手段１６０の構成を示す図である。場所情報記憶手段１６０は、場所情報を記憶している記憶手段１６１、及び場所情報記憶手段１６０に対して場所情報を設定する際に用いる入力手段１６２から構成される。
【００５７】
記憶手段１６１は、映像表示装置１００が設置されている場所(地域）の情報を記憶しており、メモリなどにより実現される。
【００５８】
入力手段１６２は、映像表示装置１００が設置されている場所(地域)の情報を場所情報記憶手段１６０に設定する際に用いる。場所情報は、例えば、都道府県ごとにコードを付与し、それを入力手段１６２を介して記憶手段１６１に記憶することにより設定する。
【００５９】
再度、図２に戻って映像表示装置１００を構成する各手段を説明する。操作者情報記憶手段１７０は、操作者情報生成手段１３３が生成した操作者情報Ｂを所定の時間だけ記憶しており、メモリやハードディスクなどの記録媒体により実現される。
【００６０】
操作端末２００は、操作端末国有の番号である識別子を内蔵しており、映像表示装置１００を操作する。操作端末２００から操作信号Ａを映像記憶装置１００へ送信する際には、識別子を含めて送信する。なお、一つの映像表示装置１００に対して、複数の操作端末２００を用いても良い。
【００６１】
操作端末２００は、現在、広く利用されている赤外線による伝送技術を用いたリモコンを応用することにより実現できる。また、携帯電話やＰＤＡなどの赤外線リモコンをエミュレートできる端末を転用することも可能である。
【００６２】
具体的には操作端末２００は、赤外線発光機能を有した電子回路、映像表示装置１００を制御するために必要な制御情報を記憶するメモリまたは他の記憶媒体、リモコン上のボタンなどを操作することにより制御情報と機器コード、信号の始点・終点を表すコードなどにより構成される操作信号Ａに信頼性を高める変調を加えて赤外線で発光する端末で実現できる。
【００６３】
図５は、本発明の第１の実施形態に係る操作端末２００の構成を示す図である。送信手段２０１は、操作信号Ａを映像表示装置１００へ送信する。赤外線発光素子とそれをコントロールするＩＣなどの電子回路により実現する。信号生成手段２０２は、送信手段２０１より送信する操作信号Ａを生成する。操作入力手段２０４は、操作端末のボタンやスイッチなどを操作することにより、映像表示装置１００への指示を入力する。
【００６４】
識別子入力手段２０５は、操作端末の識別子を入力する際に用いる。例えば、識別子を管理しているコンピュータなどとシリアルケーブルを介して接続して識別子を入力する方法、非接触型の信号受信機器を用いて識別子を入力する方法、また、識別子を記憶したＩＣカードから識別子を読み取る方法などがある。識別子記憶手段２０３は、メモリなどの記憶媒体で構成され、識別子入力手段２０５で取得した識別子を記憶する。
【００６５】
識別子には、必要十分な長さのビット長で表現される数字を利用する。例えば、IPv6(Internet Protocol Version 6)で使われている128ビットのIPアドレスなどを利用することもできる。
【００６６】
図６は、本発明の第１の実施形態に係る情報生成装置３００の構成を示す図である。情報生成装置３００は、通信を行う通信手段３０１と、情報生成装置３００を制御する制御手段３０２と、情報を記憶する記憶手段３０３と、情報を記憶して蓄積する個別情報記憶手段３０４とから構成される。
【００６７】
情報生成装置３００は、ネットワーク６００を経由して情報提示装置１００から操作者情報Ｂを受信し、番組情報記憶装置４００から番組情報を検索して取得し、取得した番組情報に順位を設定して推薦情報Ｄとして映像表示装置１００へ送信する。また、個別操作者情報Ｃと順位の設定された番組情報とを記憶し、検索する機能を備えている。情報生成装置３００は、コンピュータやデータベースを利用することにより実現できる。
【００６８】
通信手段３０１は、ネットワーク６００を介して、情報提示装置１００と通信を行う。
【００６９】
制御手段３０２は、記憶手段３０３への情報の記憶、番組情報への順位の設定、個別情報記憶手段３０４への個別操作者情報Ｃと順位の設定された番組情報の記憶、検索、削除を制御する。
【００７０】
記憶手段３０３は、制御手段３０２の制御に従い、情報を一時的に記憶する。
【００７１】
個別情報記憶手段３０４は、制御手段３０２の制御により個別操作者情報Ｃと順位の設定された番組情報を記憶し、蓄積してある情報の検索を行う。
【００７２】
番組情報記憶装置４００は、番組情報を記憶し蓄積しており、ネットワーク６００を介して、情報生成装置３００からの要求に応じて番組情報を提供する。番組情報記憶装置４００には、コンピュータによるWebサーバを用いることができ、電子番組ガイド（Electric Program Guide:EPG）と呼ばれる番組情報により実現できる。EPGを用いると、チャネルや放送エリアごとに番組の情報（番組の時間、出演者、ジャンルなど）を取得することができる。
【００７３】
情報閲覧装置５００は、ネットワーク６００を介して、情報生成装置３００の個別情報記憶手段３０４に記憶されている個別操作者情報Ｃを閲覧する機能を有し、コンピュータで実現されるＷｅｂブラウザを利用することができる。
【００７４】
ネットワーク６００は、電気通信設備により構成され、映像表示装置１００と情報生成装置３００と番組情報記憶装置４００と情報閲覧装置５００とをそれぞれ接続し、その間で情報を伝送する。
【００７５】
次に、操作端末を含む映像表示装置と情報生成装置の動作を、フローチャートを参照して説明する。
図１２は、第１の実施形態に係る操作端末２００の動作を示すフローチャートである。操作端末２００は、利用者による操作を操作入力手段２０４で検出し、検出信号として信号生成手段２０２へ送る（ステップＳ１００）。信号生成手段２０２は、受け取った検出信号を、映像表示装置１００へ送信する制御信号へ変換するとともに、識別子記憶手段２０３から識別子を読み出して、図７に示す操作信号Ａとして構成して、送信手段２０１へ送り（ステップＳ１０１）、送信手段２０１より映像表示装置１００へ送信する（ステップＳ１０２）。
【００７６】
図１３は、第１の実施形態に係る映像表示装置１００の送信までの動作を示すフローチャートである。映像表示装置１００の操作信号受信手段１５０は、操作端末２００より送信されてきた操作信号Ａを受信し、その内容を解析した上で、制御手段１３０の操作者情報生成手段１３３へ送る（ステップＳ２００）。操作者情報生成手段１３３は、受信した操作信号Ａ内の場所情報の有無を確認し（ステップＳ２０１）、場所情報が無い場合、場所情報記憶手段１６０から場所情報の提供を受ける（ステップＳ２０２）（場所情報が有る場合については、第２の実施形態を参照、（ステップＳ２０３））。
【００７７】
操作者情報生成手段１３３は、操作信号Ａから制御情報を取り出し、制御信号送信手段１３１へ送る。制御情報を受け取った制御信号送信手段１３１は、制御情報を映像信号選択手段１１０、映像表示手段１２０へ送り、映像信号の選択、映像の表示、音量の調整、映像表示装置１００の電源などを制御する。
【００７８】
操作者情報生成手段１３３は、操作信号Ａから操作端末２００の識別子を取り出し、提供された場所情報と合わせて操作者情報Ｂを作成し、状態管理手段１３４へ送る（ステップＳ２０４）。操作者情報Ｂの構成を図８に示す。
【００７９】
状態管理手段１３４は、あらかじめ設定されている所定の時間間隔や時刻であるかや、通信手段１４０が通信可能か否かを判断し（ステップＳ２０５）、通信手段１４０による操作者情報Ｂの送信が可能な場合には、直ちに操作者情報Ｂを通信手段１４０へ送る（ステップＳ２０６）。通信手段１４０による操作者情報Ｂの送信が可能でない場合には、操作者情報Ｂを操作者情報記憶手段１７０へ送る（ステップＳ２０７）。
【００８０】
操作者情報記憶手段１７０は、操作者情報Ｂを受信した順序に保管し、通信手段１４０による操作者情報Ｂの送信が可能か否かを判断し（ステップＳ２０８）、送信が可能になった場合（ステップＳ２０８のＹｅｓの場合）、操作者情報Ｂを受信した順序で読み出し、通信手段１４０へ送る（ステップＳ２０９）。通信手段１４０は、受け取った操作者情報Ｂをネットワーク６００を介して、情報生成装置３００へ送る（ステップＳ２１０）。送信が可能でない場合（ステップＳ２０８のＮｏの場合）には、通信が可能となるまで待つ。
【００８１】
図１４は、第１の実施形態に係る情報生成装置３００の動作を示すフローチャートである。
情報生成装置３００は、個別情報記憶手段３０４において、受信した操作者情報Ｂに含まれる識別子ごとの個別操作者情報Ｃの有無を検索する（ステップＳ３００）。検索の結果、同じ識別子の個別操作者情報Ｃがない場合には、操作者情報Ｂを、図９に示すような個別操作者情報Ｃとして登録し（ステップＳ３０１）、同じ識別子の個別操作者情報Ｃがある場合には、記憶されている個別操作者情報Ｃを更新する（ステップＳ３０２）。
【００８２】
個別情報記憶手段３０４は、過去に選択された番組情報と、番組情報を分類したジャンル、番組情報とジャンル別の選択された頻度を識別子ごとに記憶し、管理している。
【００８３】
次に、情報生成装置３００は、操作者情報Ｂに含まれる場所情報にもとづいて、番組情報記憶装置４００から、映像表示装置１００が設置されている地域の番組情報を検索し、検索した番組情報を番組のジャンル別に分類する（ステップＳ３０３）。情報生成装置３００は、操作者情報Ｂに含まれる識別子にもとづいて、個別情報記憶手段３０４のジャンル別の選択された頻度を参照し、分類したジャンルに順位を設定し、個別情報記憶手段３０４内の識別子ごとに用意された個別操作者情報Ｃ内の管理情報に記憶する（ステップＳ３０４）。この順位は、識別子ごとの過去の視聴の頻度をもとに、番組の分野(ジャンル）に対して、視聴者の興味があると思われる順番に順位を設定したものである。
【００８４】
この際、過去に操作端末を用いて選択された番組情報にもとづいて番組情報の順位を設定するだけでなく、重み付けを行った後、順位付けを行う方法なども考えられる。
【００８５】
情報生成装置３００は、順位の設定されたジャンル別番組情報（以後、これを「順位の設定された番組情報」ともいう）を、視聴者に対して番組を推薦する推薦情報Ｄとして、ネットワーク６００を介して、映像表示装置１００へ送信する（ステップＳ３０５）。その際、順位の設定された番組情報の中から、例えば、現在の時刻や予め定められた時間枠に適合する番組情報を選択し、視聴者に対して番組を推薦する推薦情報としてもよいし、他の基準に従って、番組情報を選択して推薦情報としてもよい。
【００８６】
また、本実施形態では、映像表示装置１００への推薦情報Ｄの送信は、視聴者が、番組の視聴を目的として操作端末２００を操作し、操作者情報Ｂを送信したことたことをきっかけとして実行されたが、視聴者が推薦情報を要求することを目的として、操作端末２００の推薦情報要求手段（図示せず）を改めて操作し、推薦情報の要求を送信したことをきっかけとして実行してもよい。その場合には、予め順位が設定され、個別情報記憶手段３０４内の識別子ごとに用意された個別操作者情報Ｃ内の管理情報を読み出し、図１０に示す推薦情報Ｄとして映像表示装置１００へ送信することになる。
【００８７】
図１５は、第１の実施形態に係る映像表示装置の受信後の動作を示すフローチャートである。映像表示装置１００の通信手段１４０は、情報生成装置４００から送られてきた推薦情報Ｄを受信して、推薦情報生成手段１３２へ送る（ステップＳ４００）。推薦情報生成手段１３２は、受け取った推薦情報Ｄを映像表示手段１２０で表示できるような形式に変換した上で、映像表示手段１２０へ送る（ステップＳ４０１）。映像表示手段１２０は、受け取った推薦情報Ｄを表示する（ステップＳ４０２）。
【００８８】
視聴者は、映像表示手段１２０に表示された推薦情報を見ることにより、操作者の嗜好と操作者が視聴している場所に合った番組を容易に選択することができる。
【００８９】
[第２の実施形態]
第２の実施形態では、場所情報を操作端末２００が備える。第２に実施形態の構成は、基本的には第１の実施形態の構成と同じであるが、操作端末２００の構成が異なる。
【００９０】
図１１は、第２の実施形態に係る操作端末２００の構成を示す図である。第２の実施形態に係る操作端末２００は、第１の実施形態に係る操作端末２００の構成要素に加えて、場所情報算出手段２０６と場所情報取得手段２０７とを備える。
【００９１】
場所情報取得手段２０７は、場所情報を取得する機能を備えており、例えば、GPS（Global Positioning System）や、操作端末２００に携帯電話端末を利用する場合には、携帯電話会社が設置している複数のアンテナの強度を測定することにより、既知のアンテナとの距離を算出し、携帯電話端末の場所を特定する方法を用いることができる。
【００９２】
場所情報算出手段２０６は、場所情報取得手段２０７が特定した場所を、例えば、都道府県ごとのエリアに分けて管理されているコードなどの場所情報に変換し記憶する。記憶した場所情報は、場所情報取得手段２０７が新たに場所情報を取得するまで保持される。
【００９３】
第２の実施形態に係る操作端末２００は、場所情報算出手段２０６から場所情報を読み出し、図７に示す操作信号Ａに格納して、送信手段２０１より映像表示装置１００へ送信する。
【００９４】
なお、場所情報は、場所情報取得手段２０７により取得されるが、操作端末２００に場所情報を入力する場所情報入力手段(図示せず）を設置し、それを視聴者が操作することにより、場所情報を取得しても良い。また、操作者が操作端末２００を操作したときに、同時に場所情報を取得しても良い。操作端末を携帯電話で実現する場合は、エミュレータソフトウェアが動作し始めたときに場所情報を取得しても良い。操作端末２００に場所情報を取得する手段を備えた場合は、場所情報記憶手段１６０を削除してもよいし、操作端末２００からの場所情報を優先するようにしてもよい。
【００９５】
以上、第１の実施形態と第２の実施形態で説明したように、視聴者が操作する操作端末２００の識別子と、映像表示装置１００の設置場所にもとづく視聴者の場所情報を取得することにより、視聴者と操作端末と視聴者の所在の対応関係を明確にすることができる、また、識別子と場所情報を用いて、過去に視聴者が視聴した番組情報を検索して順位を設定し、視聴者が興味を持つであろう番組を選択し、視聴者に対して番組の推薦情報として提示することが可能となる。この結果、例えば、視聴者が旅行などにより通常の居住地以外にいる場合でも、視聴者の興味に応じた番組を推薦することが可能となる。
【００９６】
以上、本発明の実施形態を説明したが、本発明は前記した実施形態に限定されるものではない。例えば、操作信号Ａは機器コードを含んでいることから、視聴者が操作する操作端末の情報を得ることができ、これを個別情報記憶手段３０４に記憶することにより、機器ごとに情報を分析することも可能になる。例えば、視聴者による機器の使用状況を監視することで、機器の操作性の容易性を判断したり、操作者の利用傾向を把握したりすることも可能になる。
【００９７】
さらに、情報閲覧装置５００を用いれば、ある識別子を利用する視聴者の操作状況を知ることができる。また、時刻を参照しながら操作状況を閲覧することで、時間ごとの利用状況を知ることが可能になり、あらかじめ識別子と視聴者の対応が取れていれば、生死確認にも活用可能である。
【図面の簡単な説明】
【００９８】
【図１】本発明の第１の実施形態に係るシステムの構成を示す図である。
【図２】本発明の第１の実施形態に係る映像表示装置の構成を示す図である。
【図３】本発明の第１の実施形態に係る制御手段の構成を示す図である。
【図４】本発明の第１の実施形態に係る場所情報記憶手段の構成を示す図である。
【図５】本発明の第１の実施形態に係る操作端末の構成を示す図である。
【図６】本発明の第１の実施形態に係る情報生成装置の構成を示す図である。
【図７】操作信号の構成を示す図である。
【図８】操作者情報の構成を示す図である。
【図９】個別操作者情報の構成を示す図である。
【図１０】推薦情報の構成を示す図である。
【図１１】第２の実施形態に係る操作端末の構成を示す図である。
【図１２】第１の実施形態に係る操作端末の動作を示すフローチャートである。
【図１３】第１の実施形態に係る映像表示装置の送信までの動作を示すフローチャートである。
【図１４】第１の実施形態に係る情報生成装置の動作を示すフローチャートである。
【図１５】第１の実施形態に係る映像表示装置の受信後の動作を示すフローチャートである。
【符号の説明】
【００９９】
１００      映像表示装置
１１０      映像信号選択手段
１２０      映像表示手段
１３０      制御手段
１３１      制御信号送信手段
１３２      推薦情報生成手段
１３３      操作者情報生成手段
１３４      状態管理手段
１４０      通信手段
１５０      操作信号受信手段
１６０      場所情報記憶手段
１６１      記憶手段
１６２      入力手段
１７０      操作者情報記憶手段
２００      操作端末
２０１      送信手段
２０２      信号生成手段
２０３      識別子記憶手段
２０４      操作入力手段
２０５      識別子入力手段
２０６      場所情報算出手段
２０７      場所情報取得手段
３００      情報生成装置
３０１      通信手段
３０２      制御手段
３０３      記憶手段
３０４      個別情報記憶手段
４００      番組情報記憶装置
５００      情報閲覧装置
６００      ネットワーク
【図１】
2005269114.tif 000003
【図２】
2005269114.tif 000004
【図３】
2005269114.tif 000005
【図４】
2005269114.tif 000006
【図５】
2005269114.tif 000007
【図６】
2005269114.tif 000008
【図７】
2005269114.tif 000009
【図８】
2005269114.tif 000010
【図９】
2005269114.tif 000011
【図１０】
2005269114.tif 000012
【図１１】
2005269114.tif 000013
【図１２】
2005269114.tif 000014
【図１３】
2005269114.tif 000015
【図１４】
2005269114.tif 000016
【図１５】
2005269114.tif 000017